(57)【要約】 【課題】  作業者が複数であっても単一携帯端末を共用でき、作業者の異動があった場合でも簡単に対応できる巡回作業システムデータ登録方法を得る。  【解決手段】  管理用サーバ１と非接触ＩＣタグ３と携帯端末２とを使用する巡回作業システムデータ登録方法であって、前記管理用サーバ１は、巡回する作業者の情報データベース、及び巡回場所の情報データベースと巡回作業履歴とを保管し、前記非接触ＩＣタグ３は、巡回場所又は設備に貼り付けられ、巡回する場所に立ち寄ったことの確認するために配置され、前記携帯端末は、前記非接触ＩＣタグ３からＩＤ情報を読み取るためのタグ読み取り装置を備えており、巡回記録を残す巡回作業履歴の生成、収集システムにおいて、前記携帯端末を１台として、複数の作業者が共有した場合でも、巡回作業履歴で作業者を特定できる巡回作業システムデータ登録方法とする。【選択図】  図１
2006178808.tif 000002
【特許請求の範囲】
【請求項１】
管理用サーバと、非接触ＩＣタグと携帯端末とを使用する巡回作業システムデータ登録方法において、前記管理用サーバは、巡回する作業者の情報データベース、及び巡回場所情報データベースと、巡回作業履歴とを保管し、前記非接触ＩＣタグは、巡回場所又は設備に貼り付けられ、巡回する場所に立ち寄ったことの確認をするために配置され、また、前記携帯端末は、前記非接触ＩＣタグからＩＤ情報を読み取るためのタグ読み取り装置を備えており、巡回記録を残す巡回作業履歴の生成、収集システムにおいて、少なくとも１台の前記携帯端末を複数の作業者が共有した場合には、作業者が変わるごとに、前記携帯端末が、管理用サーバから、作業者情報データベースのデータを受信することにより、作業者を特定できることを特徴とする巡回作業システムデータ登録方法。
【請求項２】
管理用サーバと、バーコードと携帯端末とを使用する巡回作業システムデータ登録方法において、前記管理用サーバは、巡回する作業者の情報データベース、及び巡回場所情報データベースと、巡回作業履歴とを保管し、前記バーコードは、巡回場所又は設備に貼り付けられ、巡回する場所に立ち寄ったことの確認するために配置され、また、前記携帯端末は、前記バーコードからＩＤ情報を読み取るためのバーコード読み取り装置を備えており、巡回記録を残す巡回作業履歴の生成、収集システムにおいて、少なくとも１台の前記携帯端末を複数の作業者が共有した場合には、作業者が変わるごとに、前記携帯端末が、管理用サーバから作業者の情報データベースのデータを受信することにより、作業者を特定できることを特徴とする巡回作業システムデータ登録方法。
【発明の詳細な説明】
【技術分野】
【０００１】
本発明は、工場内での設備点検作業やビル等の部屋巡回作業等において、予め定められた巡回作業場所へ立ち寄ったかどうかをタグ読み取り装置を備えた携帯端末を用いて、巡回作業後、履歴データを管理用サーバに収集させる巡回作業システムデータ登録方法に関する。
【背景技術】
【０００２】
工場内での設備点検作業やビル等の部屋巡回作業等において、予め定められた巡回作業場所へ立ち寄ったかどうかをタグ読み取り装置を備えた携帯端末にて、巡回先に設置されたタグのＩＤを読み取り、履歴生成を行い、巡回作業後、携帯端末に蓄積した履歴データをサーバにて収集させる巡回作業履歴の生成・収集システムで使用される携帯端末は、通常、作業者毎に決められた端末を所持し、巡回を行うことが多い。この場合、作業者数分の携帯端末を準備する必要があり、システム導入時のコストアップの要因となっている。
【０００３】
特に、昼間の勤務と夜間の勤務を交代で行う場合は、携帯端末をそれぞれ昼用１台と夜用１台とを用意して対応している。また、作業者の異動や新入社員に対しては、情報登録・履歴データの管理を行うサーバ及び各携帯端末に作業者の個人情報を登録するため、管理者の煩わしい操作が必要となる。
【０００４】
特許文献１には、点検操作員が、機器に内蔵された無線タグからＩＤ情報を取得して、順次点検する方法について記載されている。
【０００５】
【特許文献１】特開２００１−１１８１７７号公報
【発明の開示】
【発明が解決しようとする課題】
【０００６】
前述したように巡回作業を行うにあたり、携帯端末を作業する人の台数分準備することによりシステム全体のコストアップになる。また、システム導入時、管理者が情報登録・履歴データの管理を行うサーバと、各携帯端末に個人情報を登録しなければならず、手間がかかる。特に、巡回作業を行う規模が大きいと作業を行う人も増え、登録すべき携帯端末も多くなり、システム導入時の登録作業に多くの工数が必要となる問題があった。
【０００７】
更に、システムが運営開始されてから作業者の異動があった場合、使用中の携帯端末を一時回収し再登録しなければならず、その間は巡回作業に使用できないという問題があった。
【０００８】
本発明の課題は、作業者が複数であっても、携帯端末を共用でき、また、作業者の異動があった場合でも、簡単に対応できる巡回作業システムデータ登録方法を提供することである。  
【課題を解決するための手段】
【０００９】
前述した問題を解決するために、本発明では、巡回する作業者情報のデータベース及び巡回場所情報のデータベースと巡回作業履歴とを保管する管理用サーバと、巡回する場所に立ち寄ったかどうか確認するために巡回場所、又は設備に貼り付ける非接触ＩＣタグと、前記非接触ＩＣタグからＩＤ情報を読み取るためのタグ読み取り装置を備えた携帯端末にて構成される。
【００１０】
巡回作業を行うに当たり、まず管理用サーバにて作業者のＩＤを入力し、予め登録しておいた作業者情報のデータベースから個人情報を抽出し、このデータを作業場所の情報と共に携帯端末へ登録することで、１台の携帯端末を複数の作業者が利用可能となる。
【００１１】
登録は、作業者が手入力にて行うが、手入力の代わりに管理用サーバに接触式又は非接触式ＩＣカードや磁気カードリーダを接続し、これらの機器に作業者が所持するカードのＩＤを読み込ませることでも可能である。
【００１２】
管理用サーバと携帯端末との通信は、ケーブル接続によりシリアル通信で行う。また、ケーブル接続を行わずに無線や赤外線通信で行っても良い。
【００１３】
即ち、本発明は、管理用サーバと非接触ＩＣタグと携帯端末とを使用する巡回作業システムデータ登録方法において、前記管理用サーバは、巡回する作業者情報のデータベース及び巡回場所情報のデータベースと、巡回作業履歴とを保管し、前記非接触ＩＣタグは、巡回場所又は設備に貼り付けられ、巡回する場所に立ち寄ったことの確認するために配置され、また前記携帯端末は、前記非接触ＩＣタグからＩＤ情報を読み取るためのタグ読み取り装置を備えており、巡回記録を残す巡回作業履歴の生成、収集システムにおいて、少なくとも１台の前記携帯端末を複数の作業者が共有した場合には、作業者が変わるごとに、前記携帯端末が、管理用サーバから作業者情報のデータベースのデータを受信することにより、巡回作業履歴で作業者を特定できる巡回作業システムデータ登録方法である。
【００１４】
また、本発明は、管理用サーバと、バーコードと携帯端末とを使用する巡回作業システムデータ登録方法において、前記管理用サーバは、巡回する作業者情報のデータベース、及び巡回場所情報のデータベースと巡回作業履歴とを保管し、前記バーコードは、巡回場所又は設備に貼り付けられ、巡回する場所に立ち寄ったことの確認するために配置され、また、前記携帯端末は、前記バーコードからＩＤ情報を読み取るためのバーコード読み取り装置を備えており、巡回記録を残す巡回作業履歴の生成、収集システムにおいて、少なくとも１台の前記携帯端末を複数の作業者が共有した場合には、作業者が変わるごとに、前記携帯端末が、管理用サーバから、作業者情報のデータベースのデータを受信することにより、巡回作業履歴で作業者を特定できる巡回作業システムデータ登録方法である。
【００１５】
また、本発明は、前記巡回作業システムデータ登録方法は、工場、あるいはビル内での設備点検、部屋巡回作業において、または野外の公園や各種遊技施設等の巡回作業にて使用される巡回作業システムデータ登録方法である。  
【発明の効果】
【００１６】
本発明の巡回作業システムデータ登録方法によれば、巡回作業を行うに当たり、まず管理用サーバにて作業者のＩＤを入力し、予め登録しておいた作業者情報のデータベースから個人情報を抽出し、このデータを作業場所の情報と共に携帯端末へ登録することで、１台の携帯端末を複数の作業者が利用可能となる。
【００１７】
本発明によれば、作業者が複数であっても単一携帯端末を共用でき、また、作業者の異動があった場合でも、簡単に対応できる巡回作業システムデータ登録方法が提供できる。
【発明を実施するための最良の形態】
【００１８】
本発明の第１の例での巡回作業システムデータ登録方法は、管理用サーバと、非接触ＩＣタグと携帯端末とを使用する登録方法である。ここで、前記管理用サーバは、巡回する作業者情報のデータベース、及び巡回場所情報のデータベースと、巡回作業履歴とを保管しており、また、前記非接触ＩＣタグは、巡回場所又は設備に貼り付けられ、巡回する場所に立ち寄ったことの確認するために配置されており、また、前記携帯端末は、前記非接触ＩＣタグからＩＤ情報を読み取るためのタグ読み取り装置を備えており、巡回記録を残す巡回作業履歴の生成、収集システムにおいて、前記携帯端末を１台として、複数の作業者が共有した場合でも、巡回作業履歴で作業者を特定できる。                  
【００１９】
ここで、複数の作業者が共有した場合には、作業者が変わるごとに、携帯端末と管理用サーバとが、作業者情報のデータベースに関して、データを受信して、前記携帯端末内での作業者のコードを更新する。
【００２０】
また、本発明の第２の例での巡回作業システムデータ登録方法は、管理用サーバと、バーコードと携帯端末とを使用する登録方法である。ここで、前記管理用サーバは、巡回する作業者情報のデータベース、及び巡回場所情報のデータベースと、巡回作業履歴とを保管しており、前記バーコードは、巡回場所又は設備に貼り付けられ、巡回する場所に立ち寄ったことの確認するために配置されており、また、前記携帯端末は、前記バーコードからＩＤ情報を読み取るためのタグ読み取り装置を備えており、巡回記録を残す巡回作業履歴の生成、収集システムにおいて、前記携帯端末を１台として、複数の作業者が共有した場合でも、巡回作業履歴で作業者を特定できる。                                    
【００２１】
同じく複数の作業者が共有した場合には、作業者が変わるごとに、携帯端末と管理用サーバとが、作業者情報のデータベースに関して、データを受信して、前記携帯端末内での作業者のコードを更新する。
【００２２】
前記の第１の例、および第２の例での巡回作業システムデータ登録方法は、工場、あるいはビル内での設備点検、部屋巡回作業において、または、野外の公園や遊技施設等の巡回作業にて使用される。
【００２３】
図１は、本発明の巡回作業システムデータ登録方法での、部屋巡回作業を説明する概念図である。図３は、第１の例の巡回作業システムデータ登録方法である。また、図２は、管理用サーバと巡回作業で使用する携帯端末との接続の説明図である。ここで、図１の管理室４０に設置された管理用サーバ１には、図２に示すように、巡回場所情報のデータベース６、と作業者情報のデータベース７が保存され、巡回作業で使用する携帯端末２とはケーブル接続でシリアル通信を行い、データの登録及び巡回作業履歴データ収集を行う。なお、管理用サーバと携帯端末の接続を、図２に示す例ではケーブルを使用しているが、前記ケーブル以外の無線通信や赤外線通信で行っても良い。
【００２４】
図６は、本発明の巡回作業システムデータ登録方法にて使用される携帯端末２の内部の説明図である。携帯端末２は、表示部２３、メモリ部２４、時計部２５と、タグ読み取り装置部２６と、それらを制御する制御部２１と、インターフェイス部２２と、電池２７とで構成されている。
【００２５】
図１に示す各部屋４１，４２，４３，４４，４５には、巡回する場所に立ち寄ったかどうか確認するための非接触ＩＣタグ３が、それぞれの部屋に貼り付けられている。前記非接触ＩＣタグ３にはＩＤが書き込まれており、管理用サーバ１に保存されている巡回場所情報のデータベース６内で、部屋の名前、利用会社名、責任者名等の情報とリンクされている。                                                            
【００２６】
携帯端末２は、図６に示すように、登録データ及び巡回作業履歴保管用のメモリ部２４、タグ読み取り装置部２６、読み取ったＩＤ及び日時、場所情報等を表示する表示部２３、管理用サーバ１と通信するためのインターフェイス部２２、時計部２５、これらを制御する制御部２１、電池２７から構成されている。今回は非接触ＩＣタグを用いているが、非接触ＩＣタグの代わりにバーコードを使用し、携帯端末のタグ読み取り装置部２６をバーコード読み取り装置にしてもよい。
【００２７】
作業者は、巡回作業を行う前に、管理用サーバ１にて作業者自身のＩＤ入力を行い携帯端末２に登録を行う。ＩＤは社員番号等の個人を特定できる番号であれば良い。また、今回は手入力にて行っているが、管理用サーバ１に非接触ＩＣカード等のＩＤを書き込んだ媒体を読み取る装置を接続し手入力の替わりに使用しても良い。  
【００２８】
図２、図３に示すように、登録は作業者が管理用サーバ１にＩＤ入力を行い（ステップ１１）、管理用サーバ１内部では、予め作業者情報のデータベース７に登録された人かどうかを確認する。未登録者であれば警告メッセージの表示を（ステップ１５）行い入力待ちの状態に戻る。登録者であれば、作業者の個人情報を抽出し巡回場所情報のデータベース６と共に携帯端末へ登録を行う（ステップ１４）。登録の際、巡回先の情報についてはすべてのデータを登録しても良いが、作業者が必要な場所の情報を選択して登録しても良い。また、予め作業者毎に巡回先を決めておいて、自動的に場所情報を抽出、登録できるようにしても良い。
【００２９】
携帯端末２への情報登録が完了したら、作業者は携帯端末を所持して巡回作業を行う。巡回先では、図１に示すように、部屋毎（４１〜４５）に設置された非接触ＩＣタグ３に携帯端末２のタグ読み取り装置部２６を近づけてＩＤデータの読み取りを行う。携帯端末２内部では、読み取ったデータに日時、場所情報等を付加して巡回履歴データとして、図６に示すメモリ部２４に保存すると共にデータを表示部２３に表示する。以上の作業を巡回先にて同様に繰り返す。
【００３０】
巡回先での作業が完了したら、管理室４０に戻り、携帯端末２を管理用サーバ１に接続し巡回作業履歴データを収集する。図４は、履歴データ収集のフローである。管理用サーバ１にて携帯端末２が接続されたのを確認後（ステップ１６）、データ収集（ステップ１７）を行う。
【００３１】
以上の作業を別の作業者が同じ携帯端末２を使用する場合でも、巡回作業前に行う登録において作業者自身のＩＤ入力を行うことにより、最終的な巡回作業履歴では誰が作業を行ったか判別が可能となる。    
【００３２】
図５は、本発明の巡回作業システムデータ登録方法の巡回履歴データの一例を示す図である。
【００３３】
本実施の形態にて説明した巡回作業システムデータ登録方法では、非接触ＩＣタグを使用しているが、これをバーコードに交換しても、本発明は実施できるものである。バーコードを使用する場合は、携帯端末の読み出し装置部については、バーコード対応の仕様とする。
【産業上の利用可能性】
【００３４】
本発明の巡回作業システムデータ登録方法は、工場、あるいはビル内での設備点検、部屋巡回作業、または野外の公園、遊技施設等の巡回作業、その他、巡回作業が必要な場合にて使用できる。  
【図面の簡単な説明】
【００３５】
【図１】本発明の巡回作業システムデータ登録方法の部屋巡回作業を説明する概念図。
【図２】本発明の巡回作業システムデータ登録方法の管理用サーバと巡回作業で使用する携帯端末との接続図。
【図３】本発明の巡回作業システムデータ登録方法の巡回作業前に行う携帯端末への登録フロー。
【図４】本発明の巡回作業システムデータ登録方法の巡回作業履歴データの収集フローの説明図。
【図５】本発明の巡回作業システムデータ登録方法の巡回履歴データの一例を示す図。
【図６】本発明の巡回作業システムデータ登録方法にて使用される携帯端末内部の説明図。
【符号の説明】
【００３６】
１    管理用サーバ
２    携帯端末
３    非接触ＩＣタグ
６    （管理用サーバ内に保存される）巡回場所情報のデータベース
７    （管理用サーバ内に保存される）作業者情報のデータベース
８    （管理用サーバ内に保存される）巡回作業履歴データ
２１    （携帯端末内の）制御部
２２    （携帯端末内の）インターフェイス部
２３    （携帯端末内の）表示部
２４  （携帯端末内の）  携帯端末内のメモリ部
２５  （携帯端末内の）  携帯端末内の時計部
２６  （携帯端末内の）  携帯端末内のタグ読み取り装置部
２７  （携帯端末内の）  携帯端末内の電池
４０    管理室
４１〜４５    巡回作業を行う部屋
１００    ケーブル
【図１】
2006178808.tif 000003
【図２】
2006178808.tif 000004
【図３】
2006178808.tif 000005
【図４】
2006178808.tif 000006
【図５】
2006178808.tif 000007
【図６】
2006178808.tif 000008